(57)【特許請求の範囲】
【請求項１】
屋根と、該屋根を支える支承部とを有する温室において、前記屋根の屋根組として用いられる構造体であって、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成されることを特徴とする構造体。
【請求項２】
前記枠体の四隅がそれぞれ前記支承部を構成する柱材にピン接合されることにより、前記支承部上に据え付けられることを特徴とする請求項１に記載の構造体。
【請求項３】
屋根と、該屋根を支える支承部とを有する温室における前記屋根の屋根組であって、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、複数隣接させて設置することにより構成されることを特徴とする屋根組。
【請求項４】
前記各構造体は、該構造体を構成する枠体の四隅がそれぞれ前記支承部を構成する柱材にピン接合されることにより、前記支承部上に据え付けられることを特徴とする請求項３に記載の屋根組。
【請求項５】
前記各構造体のうち互いに隣接するもの同士をそれぞれ構成する各枠体の角部が、各柱材の頂部に設けられるプレート上に集められてピン接合されることにより、前記支承部上に据え付けられることを特徴とする請求項４に記載の屋根組。
【請求項６】
互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、温室の支承部を構成する柱材上に複数隣接させて設置することにより構成されることを特徴とする温室の軸組。
【請求項７】
前記各構造体は、該構造体を構成する枠体の四隅がそれぞれ前記柱材にピン接合されることにより、前記支承部上に据え付けられることを特徴とする請求項６に記載の温室の軸組。
【請求項８】
前記各構造体のうち互いに隣接するもの同士をそれぞれ構成する各枠体の角部が、各柱材の頂部に設けられるプレート上に集められてピン接合されることにより、前記支承部上に据え付けられることを特徴とする請求項７に記載の温室の軸組。
【請求項９】
支承部により支えられる屋根が、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、複数隣接させて設置することにより構成される屋根組を有して構成されることを特徴とする温室。
【請求項１０】
前記屋根組を構成する各構造体は、該構造体を構成する枠体の四隅がそれぞれ前記支承部を構成する柱材にピン接合されることにより、前記支承部上に据え付けられることを特徴とする請求項９に記載の温室。
【請求項１１】
前記屋根組を構成する各構造体のうち互いに隣接するもの同士をそれぞれ構成する各枠体の角部が、各柱材の頂部に設けられるプレート上に集められてピン接合されることにより、前記支承部上に据え付けられることを特徴とする請求項１０に記載の温室。
【請求項１２】
ａ）互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を組み立てる工程と、
ｂ）前記ａ）工程により組み立てられた構造体を、温室の支承部を構成する柱材上に、複数隣接させて設置する工程とを含むことを特徴とする温室の軸組工法。
【請求項１３】
前記ｂ）工程では、前記ａ）工程により組み立てられた各構造体を構成する枠体の四隅を、それぞれ前記柱材にピン接合することにより、前記各構造体を、前記支承部上に据え付けることを特徴とする請求項１２に記載の温室の軸組工法。
【請求項１４】
前記ｂ）工程では、前記ａ）工程により組み立てられた各構造体のうち互いに隣接するもの同士をそれぞれ構成する各枠体の角部を、各柱材の頂部に設けられるプレート上に集めてピン接合することにより、前記各構造体を、前記支承部上に据え付けることを特徴とする請求項１３に記載の温室の軸組工法。
【発明の詳細な説明】
【技術分野】
【０００１】
本発明は、温室の屋根組として用いられる構造体、該構造体を用いた温室の屋根組、温室の軸組、温室及び温室の軸組工法に関するものである。
【背景技術】
【０００２】
従来、温室の軸組としては、基礎上に立設される柱材と、該柱材の上端に剛接合される合掌材と、該合掌材に支持される棟木と、該棟木と平行に前記合掌材上に固定される母屋材とを具備して構成されるものが知られている。【０００３】
かかる温室の軸組を構成する屋根組は、上記合掌材、棟木及び母屋材により構成されるが、これらの部材は、その１つ１つがクレーン等を用いて基礎上に立設された柱材の上に運ばれた後、組み立てられているのが通常である。【０００４】
従って、これらの部材を高所へ運ぶ揚重作業量が甚大である。また、高所での組み立てとなるため、作業者に高度の技術が要求され、さらに、地上での組み立てと比較して格段に非能率的で危険な作業となるという問題がある。また、合掌材は多数のボルト等を用いて柱材に剛接合されることが必要であるなど、屋根組を構築するにあたって、接合箇所が非常に多く、そのため、多大な時間と手間を要し、組み立てにかかるコストも高く付くという問題もある。【０００５】
また、従来の温室の軸組として、ダッチライト型と称されるものが知られている。かかる温室の軸組は、間口方向に立設された柱材同士の間に大梁が剛接合され、奥行き方向に平行して存する大梁間に、棟木、母屋材及び垂木からなる屋根組が構築されてなるものである。【０００６】
しかし、かかる温室の軸組では、例えば、強風時に屋根面に働く吸い上げ荷重に対して屋根組の強度が不足し、屋根組が倒壊し易いことが指摘されている。また、かかる温室の軸組も、屋根組を構成する部材の１つ１つをクレーン等を用いて基礎上に立設された柱材の上に運び、その後、組み立てられるため、揚重作業量が甚大であり、また、組み立てに熟練の作業者を要し、かつ熟練の作業者であっても、高所での組立作業となるため、非能率的で危険を伴うという問題がある。また、屋根組を構築するにあたって、接合箇所が非常に多く、そのため、多大な時間と手間を要し、組み立てにかかるコストも高く付くという問題もある。さらに、かかる温室の軸組では、屋根に働く鉛直荷重が大梁間に掛け渡される母屋材に集中するため、奥行き方向の柱材同士の間隔が小さく制限されるという問題もある。【０００７】
他方、多種類の部材を建築現場へ搬送した上で、多数の部材を組立加工しなければならないという温室建築の問題点に鑑み、柱、梁、棟木、垂木等の温室建築に必要な部材を長さ及び形状についてモジュール化することが提案されている（例えば、特開２００２−２９１３４８号公報参照）。【０００８】
しかし、温室の軸組構造自体が従来通りでは、柱や梁等の長さ及び形状をモジュール化しても、屋根組を構築する場合には、これら１つ１つの部材を高所へ揚重し、高所で組み立てなければならないことに変わりはなく、また、組み立てに熟練の作業者を要し、かつ熟練の作業者であっても、高所での組立作業となるため、非能率的で危険を伴うという問題や、屋根組を構築するにあたって、接合箇所が非常に多く、そのため、多大な作業時間を要し、組立作業にかかるコストも高く付くという問題も依然として存在する。【０００９】
【特許文献１】特開２００２−２９１３４８号公報
【発明の開示】
【発明が解決しようとする課題】
【００１０】
本発明は、上記事情に鑑みなされたものであって、揚重作業量及び高所での組立作業量を大幅に削減することが可能な構造体、該構造体を用いた温室の屋根組、温室の軸組、温室及び温室の軸組工法を提供することを課題とするものである。
また、本発明は、温室の軸組を構築するにあたって、剛接合を必要としないで所定の強度を保持し得る構造体、該構造体を用いた温室の屋根組、温室の軸組、温室及び温室の軸組工法を提供することを課題とするものである。
【課題を解決するための手段】
【００１１】
本発明は上記課題を解決するため、以下の構造体、温室の屋根組、温室の軸組、温室及び温室の軸組工法を提供する。
（１）屋根と、該屋根を支える支承部とを有する温室において、前記屋根の屋根組として用いられる構造体であって、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成されることを特徴とする構造体。
（２）前記枠体の四隅がそれぞれ前記支承部を構成する柱材にピン接合されることにより、前記支承部上に据え付けられることを特徴とする前記（１）に記載の構造体。
（３）屋根と、該屋根を支える支承部とを有する温室における前記屋根の屋根組であって、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、複数隣接させて設置することにより構成されることを特徴とする屋根組。
（４）前記各構造体は、該構造体を構成する枠体の四隅がそれぞれ前記支承部を構成する柱材にピン接合されることにより、前記支承部上に据え付けられることを特徴とする前記（３）に記載の屋根組。
（５）前記各構造体のうち互いに隣接するもの同士をそれぞれ構成する各枠体の角部が、各柱材の頂部に設けられるプレート上に集められてピン接合されることにより、前記支承部上に据え付けられることを特徴とする前記（４）に記載の屋根組。
（６）互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、温室の支承部を構成する柱材上に複数隣接させて設置することにより構成されることを特徴とする温室の軸組。
（７）前記各構造体は、該構造体を構成する枠体の四隅がそれぞれ前記柱材にピン接合されることにより、前記支承部上に据え付けられることを特徴とする前記（６）に記載の温室の軸組。
（８）前記各構造体のうち互いに隣接するもの同士をそれぞれ構成する各枠体の角部が、各柱材の頂部に設けられるプレート上に集められてピン接合されることにより、前記支承部上に据え付けられることを特徴とする前記（７）に記載の温室の軸組。
（９）支承部により支えられる屋根が、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、複数隣接させて設置することにより構成される屋根組を有して構成されることを特徴とする温室。
（１０）前記屋根組を構成する各構造体は、該構造体を構成する枠体の四隅がそれぞれ前記支承部を構成する柱材にピン接合されることにより、前記支承部上に据え付けられることを特徴とする前記（９）に記載の温室。
（１１）前記屋根組を構成する各構造体のうち互いに隣接するもの同士をそれぞれ構成する各枠体の角部が、各柱材の頂部に設けられるプレート上に集められてピン接合されることにより、前記支承部上に据え付けられることを特徴とする前記（１０）に記載の温室。
（１２）ａ）互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を組み立てる工程と、
ｂ）前記ａ）工程により組み立てられた構造体を、温室の支承部を構成する柱材上に、複数隣接させて設置する工程とを含むことを特徴とする温室の軸組工法。
（１３）前記ｂ）工程では、前記ａ）工程により組み立てられた各構造体を構成する枠体の四隅を、それぞれ前記柱材にピン接合することにより、前記各構造体を、前記支承部上に据え付けることを特徴とする前記（１２）に記載の温室の軸組工法。
（１４）前記ｂ）工程では、前記ａ）工程により組み立てられた各構造体のうち互いに隣接するもの同士をそれぞれ構成する各枠体の角部を、各柱材の頂部に設けられるプレート上に集めてピン接合することにより、前記各構造体を、前記支承部上に据え付けることを特徴とする前記（１３）に記載の温室の軸組工法。
【発明の効果】
【００１２】
前記（１）に記載の本発明によれば、構造体は、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成されるため、温室の支承部とは別個独立した単一の構造物として構築することができる。従って、この構造体を温室の屋根組として用いることにより、揚重作業量及び高所での組立作業量を大幅に削減することが可能となる。また、前記主梁を有するため、従来の軸組のように、間口方向に立設された柱材同士の間に大梁を設ける必要がないという利点もある。
前記（２）に記載の本発明によれば、前記枠体の四隅がそれぞれ前記支承部を構成する柱材にピン接合されることにより、前記支承部上に据え付けられるため、高所での組立作業量をさらに大幅に削減することが可能となる。また、前記主梁により、鉛直荷重に対する強度を増大させることができ、さらに前記枠体が、その四隅に接合された各柱材に、鉛直荷重及び水平荷重を分散させて伝達することができるため、従来のように、剛接合しなくても、所定の強度を保持し得る温室の軸組を構築することが可能となる。また、前記主梁を有するため、奥行き方向に立設される柱材同士の間隔を従来よりも大きくすることが可能となる。
前記（３）に記載の本発明によれば、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、複数隣接させて設置することにより構成されるため、屋根組を構築する際の揚重作業量及び高所での組立作業量を大幅に削減することが可能となる。また、この屋根組によれば、間口方向に立設された柱材同士の間に大梁を設ける必要がないという利点もある。
前記（４）に記載の本発明によれば、前記各構造体は、該構造体を構成する枠体の四隅がそれぞれ前記支承部を構成する柱材にピン接合されることにより、前記支承部上に据え付けられるため、高所での組立作業量をさらに大幅に削減することが可能となる。また、この屋根組によれば、従来のように、剛接合しなくても、所定の強度を保持し得る温室の軸組を構築することができ、また、奥行き方向に立設される柱材同士の間隔を従来よりも大きくすることが可能となる。
前記（５）に記載の本発明によれば、前記各構造体のうち互いに隣接するもの同士をそれぞれ構成する各枠体の角部が、各柱材の頂部に設けられるプレート上に集められてピン接合されることにより、前記支承部上に据え付けられるため、屋根組を構築するにあたって、高度な技術が不要となり、熟練の作業者でなくても容易に屋根組を構築することが可能となる。また、プレートを介して各構造体が一体化されるため、柱材上に、水平荷重に対して耐力を有する構造面を形成することができる。また、温室内に立設される柱材は、前記構造面に接合されるため、間口方向又は奥行き方向に隣接する柱材同士の間にブレース（鉛直ブレース）を設けなくても、水平荷重に対して耐力を発揮することができる。従って、水平荷重を基礎に伝達する鉛直ブレースを備える構造面を、温室の使用に支障のない外周部（妻面及び側面）に配置することが容易に実現できる。また、柱材同士が、各構造体の枠体により結合されるため、鉛直ブレース及び柱材同士を対角線上に結ぶブレース（水平ブレース）を用いて支承部の歪みを修正する建入れ調整作業を不要とすることが可能となる。
前記（６）に記載の本発明によれば、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、温室の支承部を構成する柱材上に複数隣接させて設置することにより構成されるため、温室の軸組を構築する際の揚重作業量及び高所での組立作業量を大幅に削減することが可能となる。また、この軸組によれば、間口方向に立設された柱材同士の間に大梁を設ける必要がないという利点もある。
前記（７）に記載の本発明によれば、前記各構造体は、該構造体を構成する枠体の四隅がそれぞれ前記柱材にピン接合されることにより、前記支承部上に据え付けられるため、高所での組立作業量をさらに大幅に削減することが可能となる。また、この軸組によれば、従来のように、剛接合しなくても、所定の強度を保持することができ、また、奥行き方向に立設される柱材同士の間隔を従来よりも大きくすることが可能となる。
前記（８）に記載の本発明によれば、前記各構造体のうち互いに隣接するもの同士をそれぞれ構成する各枠体の角部が、各柱材の頂部に設けられるプレート上に集められてピン接合されることにより、前記支承部上に据え付けられるため、軸組を構築するにあたって、高度な技術が不要となり、熟練の作業者でなくても容易に軸組を構築することが可能となる。また、プレートを介して各構造体が一体化されるため、柱材上に、水平荷重に対して耐力を有する構造面を形成することができる。また、温室内に立設される柱材は、前記構造面に接合されるため、間口方向又は奥行き方向に隣接する柱材同士の間にブレース（鉛直ブレース）を設けなくても、水平荷重に対して耐力を発揮することができる。従って、水平荷重を基礎に伝達する鉛直ブレースを備える構造面を、温室の使用に支障のない外周部（妻面及び側面）に配置することが容易に実現できる。また、柱材同士が、各構造体の枠体により結合されるため、鉛直ブレース及び柱材同士を対角線上に結ぶブレース（水平ブレース）を用いて支承部の歪みを修正する建入れ調整作業を不要とすることが可能となる。
前記（９）に記載の本発明によれば、支承部により支えられる屋根が、互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を、複数隣接させて設置することにより構成される屋根組を有して構成されるため、温室の軸組を構築する際の揚重作業量及び高所での組立作業量を大幅に削減することが可能となる。また、この温室によれば、間口方向に立設された柱材同士の間に大梁を設ける必要がないという利点もある。
前記（１０）に記載の本発明によれば、前記屋根組を構成する各構造体は、該構造体を構成する枠体の四隅がそれぞれ前記支承部を構成する柱材にピン接合されることにより、前記支承部上に据え付けられるため、高所での組立作業量をさらに大幅に削減することが可能となる。また、この温室によれば、従来のように、剛接合しなくても、所定の強度を保持することができ、また、奥行き方向に立設される柱材同士の間隔を従来よりも大きくすることが可能となる。
前記（１１）に記載の本発明によれば、前記屋根組を構成する各構造体のうち互いに隣接するもの同士をそれぞれ構成する各枠体の角部が、各柱材の頂部に設けられるプレート上に集められてピン接合されることにより、前記支承部上に据え付けられるため、温室の軸組を構築するにあたって、高度な技術が不要となり、熟練の作業者でなくても容易に軸組を構築することが可能となる。また、プレートを介して各構造体が一体化されるため、柱材上に、水平荷重に対して耐力を有する構造面を形成することができる。また、温室内に立設される柱材は、前記構造面に接合されるため、間口方向又は奥行き方向に隣接する柱材同士の間にブレース（鉛直ブレース）を設けなくても、水平荷重に対して耐力を発揮することができる。従って、水平荷重を基礎に伝達する鉛直ブレースを備える構造面を、温室の使用に支障のない外周部（妻面及び側面）に配置することが容易に実現できる。また、柱材同士が、各構造体の枠体により結合されるため、鉛直ブレース及び柱材同士を対角線上に結ぶブレース（水平ブレース）を用いて支承部の歪みを修正する建入れ調整作業を不要とすることが可能となる。
前記（１２）に記載の本発明によれば、ａ）互いに平行に配置される一対の端梁と各端梁に対して直交するように配置される一対の側桁梁とにより矩形に形成され、水平に配置される枠体と、上下に平行に配置される弦材と各弦材の両端部間に設けられる端束材とにより矩形に形成され、前記枠体の上に鉛直に配置される主梁と、前記主梁の両側において、一端が前記主梁に、他端が前記枠体にそれぞれ連結され、前記主梁を支持する合掌材とを具備して構成される構造体を組み立てる工程と、ｂ）前記ａ）工程により組み立てられた構造体を、温室の支承部を構成する柱材上に、複数隣接させて設置する工程とを含むため、温室の軸組を構築する際の揚重作業量及び高所での組立作業量を大幅に削減することが可能となる。また、構造体を組み立てた後、該構造体を支承部上に設置する方法を採用したことにより、構造体自体は、高所で組み立てる必要がなく、従って、地上等において極めて効率良く短時間で手間をかけずに組み立てることが可能であり、その結果、非常に短時間で温室の軸組全体を構築することが可能となる。
前記（１３）に記載の本発明によれば、前記ｂ）工程では、前記ａ）工程により組み立てられた各構造体を構成する枠体の四隅を、それぞれ前記柱材にピン接合することにより、前記各構造体を、前記支承部上に据え付けるため、高所での組立作業量をさらに大幅に削減することが可能となる。また、この方法によれば、従来のように、剛接合しなくても、所定の強度を保持し得る温室の軸組を構築することが可能となる。
前記（１４）に記載の本発明によれば、前記ｂ）工程では、前記ａ）工程により組み立てられた各構造体のうち互いに隣接するもの同士をそれぞれ構成する各枠体の角部を、各柱材の頂部に設けられるプレート上に集めてピン接合することにより、前記各構造体を、前記支承部上に据え付けるため、温室の軸組を構築するにあたって、高度な技術が不要となり、熟練の作業者でなくても容易に軸組を構築することが可能となる。また、プレートを介して各構造体が一体化されるため、柱材上に、水平荷重に対して耐力を有する構造面を形成することができる。また、温室内に立設される柱材は、前記構造面に接合されるため、間口方向又は奥行き方向に隣接する柱材同士の間にブレース（鉛直ブレース）を設けなくても、水平荷重に対して耐力を発揮することができる。従って、水平荷重を基礎に伝達する鉛直ブレースを備える構造面を、温室の使用に支障のない外周部（妻面及び側面）に配置することが容易に実現できる。また、柱材同士が、各構造体の枠体により結合されるため、鉛直ブレース及び柱材同士を対角線上に結ぶブレース（水平ブレース）を用いて支承部の歪みを修正する建入れ調整作業を不要とすることが可能となる。
【図面の簡単な説明】
【００１３】
【図１】図１は本発明の一の実施例に係る構造体を示す斜視図である。
【図２】図２は枠体を示す斜視図である。
【図３】図３は主梁を示す斜視図である。
【図４】図４は構造体の構成を示す図である。
【図５】図５は構造体を用いた温室の軸組工法を説明するための図である。
【図６】図６は支承部に対する構造体の設置方法を示した図である。
【図７】図７は支承部上に構造体が設置された状態を示す図である。
【図８】図８は温室内に立設される柱材に構造体が設置された状態を示す図である。
【図９】図９は柱材に対する構造体の接合方法を示す図である。
【図１０】図１０は柱材に対する構造体の接合方法を示す平面図である。
【図１１】図１１は柱材に対する繋ぎ材の接合方法を示す平面図である。
【図１２】図１２は本発明の他の実施例に係る構造体を示す斜視図である。
【符号の説明】
【００１４】
１  構造体
１１  枠体
１１ａ，１１ｂ  端梁
１１ｃ，１１ｄ  側桁梁
１１ｅ，１１ｆ  中間梁
１１ｇ  ブレース
１２  主梁
１２ａ，１２ｂ  弦材
１２ｃ，１２ｄ  端束材
１２ｅ  束材
１２ｆ  斜材
１３  合掌材
１４  支持材
２  支承部
２１  柱材
２２  ブレース
２３  間柱
２４  プレート
２５  繋ぎ材
３  基礎
４  クレーン
５  ボルト
【発明を実施するための最良の形態】
【００１５】
以下、本発明の実施の形態を図面に示した実施例に従って説明する。
【実施例】
【００１６】
図１は、本発明の一の実施例に係る構造体を示す斜視図である。この図に示したように、本実施例に係る構造体１は、枠体１１、主梁１２及び合掌材１３を有して構成される。【００１７】
枠体１１は、図２に示したように、互いに平行に配置される一対の端梁１１ａ，１１ｂと、各端梁１１ａ，１１ｂに対して直交するように配置される一対の側桁梁１１ｃ，１１ｄとにより矩形に形成される。枠体１１は、また、その内側に、側桁梁１１ｃ，１１ｄ間に掛け渡される中間梁１１ｅ，１１ｆと、該中間梁１１ｅ，１１ｆ、端梁１１ａ，１１ｂ及び側桁梁１１ｃ，１１ｄによって囲まれた空間に配設されるブレース１１ｇとを有して構成される。中間梁１１ｅ，１１ｆ及びブレース１１ｇの配置は、種々の形態を想定することができ、強度保持の観点から適宜設定し得る。【００１８】
主梁１２は、図３に示したように、上下に平行に配置される弦材１２ａ，１２ｂと、各弦材１２ａ，１２ｂの両端部間に設けられる端束材１２ｃ，１２ｄとにより矩形に形成される。主梁１２は、また、各弦材１２ａ，１２ｂ間に掛け渡される束材１２ｅと、該束材１２ｅ、弦材１２ａ，１２ｂ及び端束材１２ｃ，１２ｄによって囲まれた空間に配設される斜材１２ｆとを有して構成される。【００１９】
図１及び図４に示したように、主梁１２は、水平に配置される枠体１１上に鉛直に配置され、枠体１１と共に逆Ｔ字状に立体化される。合掌材１３は、主梁１２の両側において、一端が主梁１２に、他端が枠体１１にそれぞれ連結され、主梁１２を支持する。【００２０】
上記のように構成される構造体１は、温室の支承部とは別個独立した単一の構造物として構築することができる。つまり、構造体１は、枠体１１、主梁１２及び合掌材１３又はこれらを構成する部材を、それぞれ基礎上に立設された柱材の上に運んだ後、組み立てなければ構築できないというものではなく、地上において、或いは工場等のように建築現場でない場所で構築することができる。【００２１】
また、枠体１１を構成する端梁１１ａ，１１ｂ、側桁梁１１ｃ，１１ｄ、中間梁１１ｅ，１１ｆ、主梁１２を構成する弦材１２ａ，１２ｂ、端束材１２ｃ，１２ｄ、束材１２ｅ、斜材１２ｆ及び合掌材１３は、断面において同一形状、かつ同一寸法の鋼材（例えば、リップ付溝形鋼）から構成することが可能であり、これらの部材のモジュール化を容易に実現することができる。【００２２】
また、枠体１１、主梁１２及び合掌材１３を構成する鋼材は、すべてビス止めにより連結することができ、従って、構造体１を組み立てる際に、鋼材同士を溶接しなくても良いという利点がある。さらに、最大の利点は、溶接歪みによる組立精度の低下がないため、構造体１、該構造体１を用いた温室の屋根組及び温室の軸組の良好な精度を実現することが可能となる。【００２３】
次に、本実施例に係る構造体１を用いた温室の軸組工法について説明する。【００２４】
まず、構造体１は、以下のように組み立てられる。すなわち、枠体１１、主梁１２及び合掌材１３を構成する部材（鋼材）が、工場等において、予め所定の長さに切断されると共に、各鋼材の連結部にビス止めに用いられる孔部が加工された後、建築現場へ搬送される。建築現場では、これらの鋼材を用いて、まず、枠体１１及び主梁１２をビス止めにより組み立てる。次に、枠体１１上に主梁１２を配置すると共に、主梁１２の両側に合掌材１３を配置して、これらをビス止めにより連結して構造体１を組み立てる。従って、建築現場において、鋼材同士を溶接したり、鋼材の長さを調整する等の作業が不要で、ボルト等を用いて各鋼材同士を連結するだけで構造体１を組み立てることができる。なお、搬送条件が整えば、枠体１１及び主梁１２を予め工場等で組み立てた後、建築現場へ搬送することも可能である。【００２５】
また、構造体１の組立作業は、図５に示したように、地上において行うことができる。すなわち、構造体１は、上記したように、温室の支承部２を構成する柱材２１を必要としないで、単独で構築し得る構造を有しているため、高所で組み立てる必要がなく、地上において組み立てることができる。従って、高所での組み立てと比較して、格段に効率的に組み立てることができる。【００２６】
組み立てられた構造体１は、クレーン４等を用いて基礎３上に立設された柱材２１の上に運ばれ、図６に示したように、枠体１１の四隅が、柱材２１に対して、ボルト５等を用いてピン接合されることにより、支承部２上に設置される（図７及び図９参照）。このように、構造体１を構成する各部材を揚重するのではなく、地上において組み立てられた構造体１を揚重するため、揚重の回数は１回で足り、複数の構造体１を揚重する場合でも、各部材を揚重するのと比較して揚重の回数を非常に少なくすることができる。【００２７】
ここで、構造体１は、主梁１２の頂部に存する弦材１２ａが、温室の間口方向に対して平行に配置されるように設置される（図５参照）。従って、かかる構造体１を用いた温室においては、棟が温室の奥行き方向に対して直交することとなる。【００２８】
また、支承部２とは、温室の屋根を支える部分を指し、柱材２１や柱材２１同士の間に設けられるブレース２２等から構成される。図７に示した支承部２の構造は、構造体１が最初に設置される支承部２の構造の一例を示すものであり、構造体１を構成する枠体１１の四隅に対応する位置に立設された柱材２１同士の間に間柱２３が配設されている。この間柱２３は、構造体１を直接支持するものではなく、柱材２１同士の間にブレース２２を配設するために設けられたものである。また、支承部２に設けられる間柱２３及びブレース２２は、温室の外周部（妻面及び側面）に存する柱材２１同士の間のみに配設すればよく、図８に示したように、温室の内部に存する柱材２１同士の間には配設しなくてもよい。温室内部に立設される柱材２１同士は、後述のように、構造体１により結合されるため、ブレース２２を配設する必要がないからである。【００２９】
なお、支承部２を構成する柱材２１、間柱２３及び後述の繋ぎ材２５も、断面において同一形状、かつ同一寸法の鋼材（例えば、リップ付溝形鋼）から構成することが可能であり、さらに、柱材２１等は、上記した構造体１の枠体１１、主梁１２及び合掌材１３と共通の鋼材を用いることも可能であり、従って、温室の軸組を構成する部材のモジュール化を容易に実現することが可能である。【００３０】
構造体１は、複数用意され、これらは、基礎３上に立設される柱材２１上に、相互に隣接して据え付けられる。これにより、支承部２上に屋根組が構築される。【００３１】
ここで、各構造体１は、図９及び図１０に示したように、互いに隣接するもの同士をそれぞれ構成する各枠体１１の角部が、各柱材２１の頂部に設けられるプレート２４上に集められてピン接合されることにより、支承部２上に据え付けられることが好ましい。これにより、プレート２４を介して各構造体１が一体化されるため、柱材２１上に、水平荷重に対して耐力を有する構造面を形成することができる。また、温室内に立設される柱材２１は、前記構造面に接合されるため、間口方向又は奥行き方向に隣接する柱材２１同士の間にブレース２２（鉛直ブレース）を設けなくても、水平荷重に対して耐力を発揮することができる。従って、水平荷重を基礎３に伝達する鉛直ブレース２２を備える構造面を、温室の使用に支障のない外周部（妻面及び側面）に配置することが容易に実現できる。【００３２】
また、柱材２１同士が、各構造体１の枠体１１により結合されるため、かかる柱材２１同士を対角線上に結ぶブレース（水平ブレース）を改めて設ける必要がなく、また、従来のように、鉛直ブレース及び水平ブレースを用いた建入れ調整作業も不要とすることが可能となる。【００３３】
すなわち、従来は、支承部上に屋根組を構築した際に生じる歪みを、鉛直ブレース及び水平ブレースを用いて修正していたが、水平ブレースの調整を行うと、鉛直ブレースの調整も必要となり、この建入れ調整作業には、多大な労力と、高度の技術が必要であった。しかし、この軸組工法によれば、柱材２１の頂部がプレート２４を介して一体化される各構造体１の枠体１１に接合されるため、歪みを発生させることなく、支承部２上に屋根組を構築することができ、従って、水平ブレースを改めて設ける必要もないし、建入れ作業も不要となる。【００３４】
また、プレート２４を介して１本の柱材２１に複数の枠体１１の角部を集めてピン接合する構成を採用することにより、柱材２１の本数を最小限に抑えることが可能となる。また、温室内部に立設される柱材２１同士が構造体１により結合されることとなるため、柱材２１同士の間にブレース２２を設けなくても強度を保持することが可能となり、その結果、支承部２における部材（柱材２１やブレース２２等）の数を減少させることも可能となる。【００３５】
また、各構造体１を支承部２上に据え付ける作業は、高所での作業となるが、枠体１１の角部とプレート２４は、１のボルト等で固定すれば良いため、屋根組と支承部２との接合箇所は、非常に少ない数で済む。従って、高所での据え付け作業でも、簡易迅速に行うことが可能となる。また、支承部２上に屋根組を構築するにあたって、この工法によれば、構造体１を構成する枠体１１に形成される孔部と、柱材２１の頂部に設けられるプレート２４に形成される孔部とを連通させるように合わせ、両孔部にボルト５を挿通させ、固定するだけで、支承部２上に屋根組を構築することができるため、作業者に高度な技術は要求されず、また、高所作業であっても危険を少なくすることができる。【００３６】
なお、図７において、符号２５は繋ぎ材であり、これは、支承部２を構築する際に、柱材２１同士の間に掛け渡され、柱材２１が倒れないように支える働きをするものである。この繋ぎ材２５も、図１１に示したように、柱材２１の頂部に設けられるプレート２４に端部が固定される。【００３７】
また、構造体１としては、温室の被覆材（例えば、プラスチックフィルムや硝子又は樹脂からなる板材等）や、該被覆材を支持する支持材（例えば、アーチパイプやフレーム材等）などの二次部材を具備して構成されるものであってもよい。かかる二次部材としては、被覆材、該被覆材の支持材、天窓、樋などが典型例として挙げられる。そして、かかる二次部材も、地上において組み立てることができるため、高所で組み立てる場合と比較して、非常に効率が良く、作業自体も容易なものとなる。また、二次部材を具備する構造体１を地上で組み立てた後、柱材２１の上に運ぶようにすることで、揚重作業量を非常に少なくすることが可能となる。図１２は、二次部材としての支持材１４（被覆材として利用されるプラスチックフィルムを支持するアーチパイプ）を備えた構造体１の例を示す。【００３８】
上記のように構築される温室の軸組によれば、上記したように、揚重作業量及び高所での組立作業量を、従来の温室の軸組と比較して、大幅に削減することが可能となる。【００３９】
また、かかる温室の軸組によれば、温室の屋根に働く鉛直荷重は、屋根の被覆材から該被覆材の支持材を介して該支持材を支持する枠体１１及び主梁１２に伝達される。枠体１１に働く鉛直荷重は、合掌材１３を介して主梁１２に伝達され、結果的に主梁１２の両端に存する合掌材１３に集められ、枠体１１の端梁１１ａ，１１ｂを介して柱材１２に伝達され、基礎３に伝わる。また、風、地震等による屋根面に働く水平力は、主梁１２から枠体１１、若しくは直接枠体１１に伝達され、一方、壁面に働く水平力は、温室外周部では枠体１１に伝達され、複数隣接する枠体１１に伝達経由して、温室外周部若しくは奥行き方向の柱材２１間に設けられたブレース２２を介して基礎３に伝達される。従って、この温室の軸組によれば、剛接合しなくても、地震力、風圧力等の外力に対して十分な強度が得られる。【００４０】
また、かかる温室の軸組によれば、構造体１を構成する主梁１２が、従来温室の軸組として間口方向の柱材同士の間に設けられた大梁と、温室に働く外力に対して同様の強度を保持し得るため、支承部２に大梁を設ける必要がなく、大梁の設置にかかる時間や手間を無くすことができ、コストも削減することができる。【００４１】
また、枠体１１上に鉛直に配置される矩形の主梁１２により、梁せいを大きくすることが可能であり、鉛直荷重に対する負担能力を増大させることができる。【００４２】
また、かかる温室の軸組によれば、温室の奥行き方向に対して直交して配設される主梁１２が、四隅を柱材２１により支持された枠体１１上に鉛直に配置されるため、奥行き方向に立設される柱材２１同士の間隔を従来の温室の軸組よりも大きくすることができる。
【産業上の利用可能性】
【００４３】
本発明の構造体１は、地上等で組み立て可能で、また支承部２に対してピン接合可能である。従って、この構造体を用いて温室の屋根組、温室全体の軸組、さらに温室を組み立てることで、温室に働く外力に対して十分な強度を保持し得ると共に、揚重作業量及び組立作業量を従来よりも大幅に削減することが可能であり、大規模栽培面積を有する大型温室に好適である。
【図１】
0004819503.tif 000002
【図２】
0004819503.tif 000003
【図３】
0004819503.tif 000004
【図４】
0004819503.tif 000005
【図５】
0004819503.tif 000006
【図６】
0004819503.tif 000007
【図７】
0004819503.tif 000008
【図８】
0004819503.tif 000009
【図９】
0004819503.tif 000010
【図１０】
0004819503.tif 000011
【図１１】
0004819503.tif 000012
【図１２】
0004819503.tif 000013